(57)【要約】  本発明の帯域幅を設定する方法及び装置を提供する。該方法は、間欠受信（ＤＲＸ）指示情報を決定することであって、前記ＤＲＸ指示情報が、端末装置がＤＲＸ周期内で使用される動作帯域幅及び／又は前記動作帯域幅の周波数点を決定するために用いられることと、前記端末装置に前記ＤＲＸ指示情報を送信することとを含む。本発明の実施例による帯域幅を設定する方法は端末装置による無駄な電力消費を避けることができる。
2020529750.tif 000002
【特許請求の範囲】
【請求項１】
帯域幅を設定する方法であって、
間欠受信（ＤＲＸ）指示情報を決定することであって、前記ＤＲＸ指示情報が、端末装置がＤＲＸ周期内で使用される動作帯域幅及び／又は前記動作帯域幅の周波数点を決定するために用いられることと、
前記端末装置に前記ＤＲＸ指示情報を送信することとを含むことを特徴とする、前記方法。
【請求項２】
前記方法は、前記ＤＲＸ周期内での前記端末装置の伝送する必要があるデータ量に基づいて、前記動作帯域幅を決定することを更に含むことを特徴とする
請求項１に記載の方法。
【請求項３】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応することを特徴とする
請求項１又は２に記載の方法。
【請求項４】
前記方法は、
第１設定情報を前記端末装置に送信することをさらに含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含むことを特徴とする
請求項３に記載の方法。
【請求項５】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項３又は４に記載の方法。
【請求項６】
前記方法は、
第２設定情報を前記端末装置に送信することをさらに含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含むことを特徴とする
請求項１又は２に記載の方法。
【請求項７】
前記方法は、各部分帯域設定インデックス番号に対応する部分帯域設定を指示するための第３設定情報を前記端末装置に送信することを更に含むことを特徴とする
請求項３から５のうちいずれか一項に記載の方法。
【請求項８】
前記第３設定情報は更に、各部分帯域の帯域幅及び／又は中心周波数点を指示するために用いられることを特徴とする
請求項７に記載の方法。
【請求項９】
前記端末装置に前記ＤＲＸ指示情報を送信することは、
前記ＤＲＸ周期の開始時点で、前記端末装置に前記ＤＲＸ指示情報を送信すること、又は、前記ＤＲＸ周期に含まれるアクティブ化期間内の最初のサブフレームで前記端末装置に前記ＤＲＸ指示情報を送信することを含むことを特徴とする
請求項１から８のうちいずれか一項に記載の方法。
【請求項１０】
帯域幅を設定する方法であって、
間欠受信（ＤＲＸ）指示情報を受信することであって、前記ＤＲＸ指示情報が、端末装置がＤＲＸ周期内で使用される動作帯域幅及び／又は前記動作帯域幅の周波数点を決定するために用いられることと、
前記ＤＲＸ指示情報に基づいて、前記ＤＲＸ周期内で使用される動作帯域幅及び／又は前記動作帯域幅の周波数点を決定することとを含むことを特徴とする、前記方法。
【請求項１１】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応し、
ここで、前記ＤＲＸ指示情報に基づいて、前記ＤＲＸ周期内で使用される動作帯域幅及び／又は前記動作帯域幅の周波数点を決定することは、
前記部分帯域設定インデックス番号に対応する部分帯域設定に基づいて、前記ＤＲＸ周期内で使用される動作帯域幅及び／又は前記動作帯域幅の周波数点を決定することを含むことを特徴とする
請求項１０に記載の方法。
【請求項１２】
前記方法は、第１設定情報を受信することを更に含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含み、
ここで、前記部分帯域設定インデックス番号に対応する部分帯域設定に基づいて、前記ＤＲＸ周期内で使用される動作帯域幅及び／又は前記動作帯域幅の周波数点を決定する前に、前記方法は、
前記第１設定情報に基づいて、前記ＤＲＸ指示情報により指示される部分帯域インデックス番号を決定することを更に含むことを特徴とする
請求項１１に記載の方法。
【請求項１３】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項１１又は１２に記載の方法。
【請求項１４】
前記方法は、
第２設定情報を受信することを更に含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含み、
ここで、前記ＤＲＸ指示情報に基づいて、前記ＤＲＸ周期内で使用される動作帯域幅及び／又は前記動作帯域幅の周波数点を決定することは、
前記ＤＲＸ指示情報及び前記第２設定情報に基づいて、前記ＤＲＸ周期内で使用される動作帯域幅及び／又は前記動作帯域幅の周波数点を決定することを含むことを特徴とする
請求項１０に記載の方法。
【請求項１５】
前記方法は、
各部分帯域設定インデックス番号に対応する部分帯域設定を指示するための第３設定情報を受信することを更に含むことを特徴とする
請求項１１から１３のうちいずれか一項に記載の方法。
【請求項１６】
前記第３設定情報は更に、各部分帯域の帯域幅及び／又は中心周波数点を指示するために用いられることを特徴とする
請求項１５に記載の方法。
【請求項１７】
間欠受信（ＤＲＸ）指示情報を受信することは、
前記ＤＲＸ周期の開始時点で、前記ＤＲＸ指示情報を受信すること、又は、
前記ＤＲＸ周期に含まれるアクティブ化期間内の最初のサブフレームで前記ＤＲＸ指示情報を受信することを含むことを特徴とする
請求項１０から１６のうちいずれか一項に記載の方法。
【請求項１８】
ネットワーク装置であって、
間欠受信（ＤＲＸ）指示情報を決定するように構成され、前記ＤＲＸ指示情報が、端末装置がＤＲＸ周期内で使用される動作帯域幅及び／又は前記動作帯域幅の周波数点を決定するために用いられる処理モジュールと、
前記端末装置に前記ＤＲＸ指示情報を送信するように構成される送受信モジュールとを備えることを特徴とする、前記ネットワーク装置。
【請求項１９】
前記処理モジュールは更に、
前記ＤＲＸ周期内での前記端末装置の伝送する必要があるデータ量に基づいて、前記動作帯域幅を決定するように構成されることを特徴とする
請求項１８に記載のネットワーク装置。
【請求項２０】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応することを特徴とする
請求項１８又は１９に記載のネットワーク装置。
【請求項２１】
前記送受信モジュールは更に、
第１設定情報を前記端末装置に送信するように構成され、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含むことを特徴とする
請求項２０に記載のネットワーク装置。
【請求項２２】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項２０又は２１に記載のネットワーク装置。
【請求項２３】
前記送受信モジュールは更に、
第２設定情報を前記端末装置に送信するように構成され、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含むことを特徴とする
請求項１８又は１９に記載のネットワーク装置。
【請求項２４】
前記送受信モジュールは更に、
各部分帯域設定インデックス番号に対応する部分帯域設定を指示するための第３設定情報を前記端末装置に送信するように構成されることを特徴とする
請求項２０から２２のうちいずれか一項に記載のネットワーク装置。
【請求項２５】
前記第３設定情報は更に、各部分帯域の帯域幅及び／又は中心周波数点を指示するために用いられることを特徴とする
請求項２４に記載のネットワーク装置。
【請求項２６】
前記送受信モジュールは具体的には、
前記ＤＲＸ周期の開始時点で、前記端末装置に前記ＤＲＸ指示情報を送信し、又は、
前記ＤＲＸ周期に含まれるアクティブ化期間内の最初のサブフレームで前記端末装置に前記ＤＲＸ指示情報を送信するように構成されることを特徴とする
請求項１８から２５のうちいずれか一項に記載のネットワーク装置。
【請求項２７】
端末装置であって、
間欠受信（ＤＲＸ）指示情報を受信するように構成され、前記ＤＲＸ指示情報が、端末装置がＤＲＸ周期内で使用される動作帯域幅及び／又は前記動作帯域幅の周波数点を決定するために用いられる送受信モジュールと、
前記ＤＲＸ指示情報に基づいて、前記ＤＲＸ周期内で使用される動作帯域幅及び／又は前記動作帯域幅の周波数点を決定するように構成される処理モジュールとを備えることを特徴とする、前記端末装置。
【請求項２８】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応し、
ここで、前記処理モジュールは具体的には、
前記部分帯域設定インデックス番号に対応する部分帯域設定に基づいて、前記ＤＲＸ周期内で使用される動作帯域幅及び／又は前記動作帯域幅の周波数点を決定するように構成されることを特徴とする
請求項２７に記載の端末装置。
【請求項２９】
前記送受信モジュールは更に、
第１設定情報を受信するように構成され、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含み、
ここで、前記部分帯域設定インデックス番号に対応する部分帯域設定に基づいて、前記ＤＲＸ周期内で使用される動作帯域幅及び／又は前記動作帯域幅の周波数点を決定する前に、前記処理モジュールは更に、
前記第１設定情報に基づいて、前記ＤＲＸ指示情報により指示される部分帯域インデックス番号を決定するように構成されることを特徴とする
請求項２８に記載の端末装置。
【請求項３０】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項２８又は２９に記載の端末装置。
【請求項３１】
前記送受信モジュールは更に、
第２設定情報を受信するように構成され、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含み、
ここで、前記処理モジュールは具体的には、
前記ＤＲＸ指示情報及び前記第２設定情報に基づいて、前記ＤＲＸ周期内で使用される動作帯域幅及び／又は前記動作帯域幅の周波数点を決定するように構成されることを特徴とする
請求項２７に記載の端末装置。
【請求項３２】
前記送受信モジュールは更に、
各部分帯域設定インデックス番号に対応する部分帯域設定を指示するための第３設定情報を受信するように構成されることを特徴とする
請求項２８から３０のうちいずれか一項に記載の端末装置。
【請求項３３】
前記第３設定情報は更に、各部分帯域の帯域幅及び／又は中心周波数点を指示するために用いられることを特徴とする
請求項３２に記載の端末装置。
【請求項３４】
前記送受信モジュールは具体的には、
前記ＤＲＸ周期の開始時点で、前記ＤＲＸ指示情報を受信し、又は、
前記ＤＲＸ周期に含まれるアクティブ化期間内の最初のサブフレームで前記ＤＲＸ指示情報を受信するように構成されることを特徴とする
請求項２７から３３のうちいずれか一項に記載の端末装置。
【発明の詳細な説明】
【技術分野】
【０００１】
本発明の実施例は、通信分野に関し、より具体的には、帯域幅を設定する方法及び装置に関する。
【背景技術】
【０００２】
端末装置の電力消費を低下させるために、長期的進化（Ｌｏｎｇ  Ｔｅｒｍ  Ｅｖｏｌｕｔｉｏｎ：ＬＴＥ）システムに間欠受信（Ｄｉｓｃｏｎｔｉｎｕｏｕｓ  Ｒｅｃｅｐｔｉｏｎ：ＤＲＸ）伝送メカニズムを導入し、データ伝送が行われていない時、端末装置は、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を受信することを停止することで、電力消費を低下させ、バッテリの使用時間を延ばす。ＤＲＸにおける基本的なメカニズムは、無線リソース制御（Ｒａｄｉｏ  Ｒｅｓｏｕｒｃｅ  Ｃｏｎｔｒｏｌ：ＲＲＣ）接続（Ｃｏｎｎｅｃｔｅｄ）状態にある端末装置のためにＤＲＸ周期（Ｃｙｃｌｅ）を設定することである。ＤＲＸ Ｃｙｃｌｅは、アクティブ化期間（Ｏｎ  Ｄｕｒａｔｉｏｎ）とスリープ期間（Ｏｐｐｏｒｔｕｎｉｔｙ  ｆｏｒ  ＤＲＸ）からなる。Ｏｎ  Ｄｕｒａｔｉｏｎ内で、端末装置は、ＰＤＣＣＨをリッスンして受信し、Ｏｐｐｏｒｔｕｎｉｔｙ  ｆｏｒ  ＤＲＸ内で、端末装置は、電力消費を低下させるために、ＰＤＣＣＨを受信しない。
【０００３】
一般的には、Ｏｎ  Ｄｕｒａｔｉｏｎ期間内で、端末装置は、データ伝送を行うために、無線周波数帯域幅全体を開放している。しかしながら、新しい無線（Ｎｅｗ  Ｒａｄｉｏ：ＮＲ）システムにおいて、端末装置は、数百ＭＨｚの無線周波数帯域幅をサポートすることがある。端末装置の伝送データ量が少ない場合に依然として無線周波数帯域幅全体を利用すると、無駄な電力消費を引き起こす。
【０００４】
従って、端末装置による無駄な電力消費を避けるために、帯域幅を設定する方法を提供する必要がある。
【発明の概要】
【発明が解決しようとする課題】
【０００５】
本発明は、端末装置による無駄な電力消費を避けることができる、帯域幅を設定する方法及び装置を提供する。
【課題を解決するための手段】
【０００６】
第一態様において、帯域幅を設定する方法を提供する。該方法は、
間欠受信（ＤＲＸ）指示情報を決定することであって、前記ＤＲＸ指示情報が、端末装置がＤＲＸ周期内で使用される動作帯域幅及び／又は前記動作帯域幅の周波数点を決定するために用いられることと、前記端末装置に前記ＤＲＸ指示情報を送信することとを含む。
【０００７】
本発明の実施例による帯域幅を設定する方法において、ネットワーク装置は、ＤＲＸ指示情報を端末装置に送信し、前記ＤＲＸ指示情報が、端末装置が間欠受信（Ｄｉｓｃｏｎｔｉｎｕｏｕｓ  Ｒｅｃｅｐｔｉｏｎ：ＤＲＸ）周期内で使用される動作帯域幅及び／又は前記動作帯域幅の周波数点を決定するために用いられる。従って、端末装置は、受信したＤＲＸ指示情報に基づいて、ＤＲＸ周期内で使用される動作帯域幅及び／又は前記動作帯域幅の周波数点を決定し、全てのＤＲＸ周期内のアクティブ化期間（Ｏｎ  Ｄｕｒａｔｉｏｎ）内で無線周波数帯域幅全体を利用する必要があることに起因する無駄な電力消費を避ける。
【０００８】
第１態様に関連して、第１態様の一実現形態において、前記方法は、前記ＤＲＸ周期内での前記端末装置の伝送する必要があるデータ量に基づいて、前記動作帯域幅を決定することを更に含む。
【０００９】
従って、ネットワーク装置は、Ｏｎ  Ｄｕｒａｔｉｏｎ内での端末装置の実際のトラフィックの変動に基づいて、端末装置がＤＲＸ周期内で用いる動作帯域幅を決定し、端末装置の電力消費を更に低下させることができる。
【００１０】
第１態様及びその上記実現形態に関連して、第１態様の別の実現形態において、前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応する。
【００１１】
任意選択的に、ネットワーク装置と端末装置とは、部分帯域インデックス番号と部分帯域設定との対応関係を予め取り決める。
【００１２】
従って、ネットワーク装置は、ＤＲＸ指示情報によって、異なる部分帯域設定を用いるように異なる端末装置に指示することができる。従って、異なる端末装置は、時間的に重なるＤＲＸ  Ｏｎ  Ｄｕｒａｔｉｏｎ内で、異なる周波数において作動し、システムの帯域内におけるロードバラシングを実現させ、ネットワークスケジューリングの柔軟性を向上させる。
【００１３】
第１態様及びその上記実現形態に関連して、第１態様の別の実施形態において、前記方法は、第１設定情報を前記端末装置に送信することをさらに含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含む。
【００１４】
第１態様及びその上記実現形態に関連して、第１態様の別の実現形態において、各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なる。
【００１５】
第１態様及びその上記実現形態に関連して、第１態様の別の実現形態において、前記方法は、第２設定情報を前記端末装置に送信することをさらに含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む。
【００１６】
第１態様及びその上記実現形態に関連して、第１態様の別の実現形態において、前記方法は、各部分帯域設定インデックス番号に対応する部分帯域設定を指示するための第３設定情報を前記端末装置に送信することを更に含む。
【００１７】
第１態様及びその上記実現形態に関連して、第１態様の別の実現形態において、前記第３設定情報は更に、各部分帯域の帯域幅及び／又は中心周波数点を指示するために用いられる。
【００１８】
第１態様及びその上記実現形態に関連して、第１態様の別の実現形態において、前記端末装置に前記ＤＲＸ指示情報を送信することは、前記ＤＲＸ周期の開始時点で、前記端末装置に前記ＤＲＸ指示情報を送信すること、又は、前記ＤＲＸ周期に含まれるアクティブ化期間内の最初のサブフレームで前記端末装置に前記ＤＲＸ指示情報を送信することを含む。
【００１９】
第２態様において、帯域幅を設定する方法を提供する。該方法は、間欠受信（ＤＲＸ）指示情報を受信することであって、前記ＤＲＸ指示情報が、端末装置がＤＲＸ周期内で使用される動作帯域幅及び／又は前記動作帯域幅の周波数点を決定するために用いられることと、前記ＤＲＸ指示情報に基づいて、前記ＤＲＸ周期内で使用される動作帯域幅及び／又は前記動作帯域幅の周波数点を決定することとを含む。
【００２０】
本発明の実施例による帯域幅を設定する方法において、端末装置は、ネットワーク装置からのＤＲＸ指示情報を受信し、前記ＤＲＸ指示情報が、端末装置がＤＲＸ周期内で使用される動作帯域幅及び／又は前記動作帯域幅の周波数点を決定するために用いられ、受信したＤＲＸ指示情報に基づいて、ＤＲＸ周期内で使用される動作帯域幅及び／又は前記動作帯域幅の周波数点を決定し、全てのＤＲＸ周期内のＯｎ  Ｄｕｒａｔｉｏｎ内で無線周波数帯域幅全体を利用する必要があることに起因する無駄な電力消費を避ける。
【００２１】
第２態様に関連して、第２態様の一実現形態において、前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応する。
【００２２】
ここで、前記ＤＲＸ指示情報に基づいて、前記ＤＲＸ周期内で使用される動作帯域幅及び／又は前記動作帯域幅の周波数点を決定することは、前記部分帯域設定インデックス番号に対応する部分帯域設定に基づいて、前記ＤＲＸ周期内で使用される動作帯域幅及び／又は前記動作帯域幅の周波数点を決定することを含む。
【００２３】
第２態様及びその上記実現形態に関連して、第２態様の別の実施形態において、前記方法は、第１設定情報を受信することを更に含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含む。
【００２４】
ここで、前記部分帯域設定インデックス番号に対応する部分帯域設定に基づいて、前記ＤＲＸ周期内で使用される動作帯域幅及び／又は前記動作帯域幅の周波数点を決定する前に、前記方法は、前記第１設定情報に基づいて、前記ＤＲＸ指示情報により指示される部分帯域インデックス番号を決定することを更に含む。
【００２５】
第２態様及びその上記実現形態に関連して、第２態様の別の実現形態において、各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なる。
【００２６】
第２態様及びその上記実現形態に関連して、第２態様の別の実現形態において、前記方法は、第２設定情報を受信することを更に含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む。
【００２７】
ここで、前記ＤＲＸ指示情報に基づいて、前記ＤＲＸ周期内で使用される動作帯域幅及び／又は前記動作帯域幅の周波数点を決定することは、前記ＤＲＸ指示情報及び前記第２設定情報に基づいて、前記ＤＲＸ周期内で使用される動作帯域幅及び／又は前記動作帯域幅の周波数点を決定することを含む。
【００２８】
第２態様及びその上記実現形態に関連して、第２態様の別の実現形態において、前記方法は、各部分帯域設定インデックス番号に対応する部分帯域設定を指示するための第３設定情報を受信することを更に含む。
【００２９】
第２態様及びその上記実現形態に関連して、第２態様の別の実現形態において、前記第３設定情報は更に、各部分帯域の帯域幅及び／又は中心周波数点を指示するために用いられる。
【００３０】
第２態様及びその上記実現形態に関連して、第２態様の別の実現形態において、間欠受信（ＤＲＸ）指示情報を受信することは、前記ＤＲＸ周期の開始時点で、前記ＤＲＸ指示情報を受信すること、又は、前記ＤＲＸ周期に含まれるアクティブ化期間内の最初のサブフレームで前記ＤＲＸ指示情報を受信することを含む。
【００３１】
第３態様において、上記第１態様又は第１態様の任意選択的な実現形態の方法の実行に用いられるネットワーク装置を提供する。具体的には、前記ネットワーク装置は、上記第１態様又は第１態様の任意選択的な実現形態における方法の実行に用いられる機能モジュールを備える。
【００３２】
第４態様において、上記第２態様又は第２態様の任意選択的な実現形態の方法の実行に用いられる端末装置を提供する。具体的には、前記端末装置は、上記第２態様又は第２態様の任意選択的な実現形態における方法の実行に用いられる機能モジュールを備える。
【００３３】
第５態様において、プロセッサと、メモリと、送受信機とを備えるネットワーク装置を提供する。前記プロセッサ、前記メモリ及び前記送受信機は、内部接続経路を経由して相互通信し、制御及び／又はデータ信号を転送することで、前記ネットワーク装置に上記第１態様又は第１態様の任意選択的な実現形態における方法を実行させる。
【００３４】
第６態様において、プロセッサと、メモリと、送受信機とを備える端末装置を提供する。前記プロセッサ、前記メモリ及び前記送受信機は、内部接続経路を経由して相互通信し、制御及び／又はデータ信号を転送することで、前記端末装置に上記第２態様又は第２態様の任意選択的な実現形態における方法を実行させる。
【００３５】
第７態様において、コンピュータプログラムを記憶するためのコンピュータ可読媒体を提供する。前記コンピュータプログラムは上記第１態様又は第１態様の任意選択的な実現形態を実行するための命令を含む。
【００３６】
第８態様において、コンピュータプログラムを記憶するためのコンピュータ可読媒体を提供する。前記コンピュータプログラムは上記第２態様又は第２態様の任意選択的な実現形態を実行するための命令を含む。
【００３７】
第９態様において、指令を含むコンピュータプログラム製品を提供する。コンピュータが前記コンピュータプログラム製品の前記命令を実行する場合、前記コンピュータは、上記第１態様又は第１態様の任意選択的な実現形態における、帯域幅を設定する方法を実行する。具体的には、該コンピュータプログラム製品は、上記第３態様又は第５態様におけるネットワーク装置上で実行される。
【００３８】
第１０態様において、指令を含むコンピュータプログラム製品を提供する。コンピュータが前記コンピュータプログラム製品の前記命令を実行する場合、前記コンピュータは、上記第１態様又は第１態様の任意選択的な実現形態における、帯域幅を設定する方法を実行する。具体的には、該コンピュータプログラム製品は、上記第４態様又は第６態様における端末装置上で実行される。
【図面の簡単な説明】
【００３９】
【図１】本発明の実施例による帯域幅を設定する方法を示すフローチャートである。
【図２】本発明の実施例による部分帯域の分割方法を示す概略図である。
【図３】本発明の別の実施例による部分帯域の分割方法を示す概略図である。
【図４】本発明の別の実施例による帯域幅を設定する方法を示すフローチャートである。
【図５】本発明の実施例によるネットワーク装置を示すブロック図である。
【図６】本発明の実施例による端末装置を示すブロック図である。
【図７】本発明の別の実施例によるネットワーク装置を示すブロック図である。
【図８】本発明の別の実施例による端末装置を示すブロック図である。
【発明を実施するための形態】
【００４０】
以下、本発明の実施例における図面を参照しつつ本発明の実施例における技術的解決手段を明瞭且つ完全に説明する。
【００４１】
本発明の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）又はワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム、５Ｇシステム又は新しい無線（Ｎｅｗ  Ｒａｄｉｏ：ＮＲ）システムに適用されてもよいことが理解されるべきである。
【００４２】
本発明の実施例において、端末装置は、移動ステーション（Ｍｏｂｉｌｅ  Ｓｔａｔｅｉｏｎ：ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザ装置（Ｕｓｅｒ  Ｅｑｕｉｐｍｅｎｔ：ＵＥ）、ハンドセット（ｈａｎｄｓｅｔ）及び携帯機（ｐｏｒｔａｂｌｅ  ｅｑｕｉｐｍｅｎｔ）、車両（ｖｅｈｉｃｌｅ）等を含んでもよいが、これらに限定されない。該端末装置は、無線アクセスネットワーク（Ｒａｄｉｏ  Ａｃｃｅｓｓ  Ｎｅｔｗｏｒｋ：ＲＡＮ）を経由して１つの又は複数のコアネットワークと通信することができる。例えば、端末装置は、携帯電話（又は「セルラー」電話とも称される）、無線通信機能を有するコンピュータ等であってもよく、端末装置は、携帯型、ポケット型、手持型、コンピュータ内蔵型又は車載型移動装置であってもよい。
【００４３】
本発明の実施例に係わるネットワーク装置は、無線アクセスネットワークに配置されて、端末装置のために無線通信機能を提供する装置である。前記ネットワーク装置は、基地局であってもよい。前記基地局は、様々な形態のマクロ基地局、マイクロ基地局、中継局、アクセスポイント等を含んでもよい。異なる無線アクセス技術を用いるシステムにおいて、基地局機能を有する装置の名称は異なることがある。例えば、ＬＴＥネットワークにおいて、進化型基ノードＢ（Ｅｖｏｌｖｅｄ  ＮｏｄｅＢ：ｅＮＢ又はｅＮｏｄｅＢ）と称され、第３世代（３ｒｄ  Ｇｅｎｅｒａｔｉｏｎ：３Ｇ）ネットワークにおいて、ノードＢ（Ｎｏｄｅ  Ｂ）等と称される。
【００４４】
図１は、本発明の実施例による帯域幅を設定する方法を示す。図１に示すように、方法１００は、
間欠受信（ＤＲＸ）指示情報を決定するステップＳ１１０であって、前記ＤＲＸ指示情報が、端末装置がＤＲＸ周期内で使用される動作帯域幅及び／又は前記動作帯域幅の周波数点を決定するために用いられるステップＳ１１０と、
前記端末装置に前記ＤＲＸ指示情報を送信するステップＳ１２０とを含む。
【００４５】
なお、Ｓ１１０における動作帯域幅は、送信帯域幅と受信帯域幅とを含む。
【００４６】
また、端末装置がＳ１１０における間欠受信（Ｄｉｓｃｏｎｔｉｎｕｏｕｓ  Ｒｅｃｅｐｔｉｏｎ：ＤＲＸ）指示情報に基づいて決定した動作帯域幅（０ＭＨｚではない）は、端末装置のＤＲＸアクティブ化期間（Ｏｎ  Ｄｕｒａｔｉｏｎ）内でのデフォルト動作帯域幅である。これを踏まえて、ネットワーク装置は、周期内での端末装置の伝送する必要があるデータ量に基づいて、端末装置がＤＲＸ周期内で用いる動作帯域幅を決定することもできる。一般的には、端末装置の伝送する必要があるデータ量が大きい場合、高速伝送の実現を保証するために、ネットワーク装置は、端末装置が広い動作帯域幅を用いることを決定する。端末装置の伝送する必要があるデータ量が大きい場合、ネットワーク装置は、端末装置が狭い動作帯域幅を用いることを決定し、端末装置の電力消費を低下させる。
【００４７】
任意選択的に、Ｓ１１０において、ＳＲＸ指示情報は、ＤＲＸ周期内での端末装置に用いられる動作帯域幅及び／又は前記動作帯域幅の周波数点を直接的に指示することができる。この場合、ＤＲＸ指示情報は、ＤＲＸ周期内での端末装置に用いられる動作帯域幅が０ＭＨｚであることを指示することができる。ＤＲＸ指示情報により指示される動作帯域幅が０ＭＨｚであると、端末装置がこれからのＤＲＸ  Ｏｎ  Ｄｕｒａｔｉｏｎ内でトラフィック伝送を行わないことを示し、端末装置は、ＤＲＸ  Ｏｎ  Ｄｕｒａｔｉｏｎ内で物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）をリッスンする必要がない。
【００４８】
又は、任意選択的に、システムの帯域が複数の部分帯域（Ｂａｎｄｗｉｄｔｈ  Ｐａｒｔ）に分割されると、ネットワーク装置と端末装置とは、複数の部分帯域設定及び各部分帯域設定に対応する部分帯域設定インデックス番号を予め取り決めることができる。又は、ネットワーク装置は、ブロードキャストシグナリング又は無線リソース制御（Ｒａｄｉｏ  Ｒｅｓｏｕｒｃｅ  Ｃｏｎｔｒｏｌ：ＲＲＣ）シグナリングによって、該複数の部分帯域設定及び各部分帯域設定に対応する部分帯域設定インデックス番号を端末装置に通知することができる。Ｓ１１０におけるＤＲＸ指示情報は、部分帯域設定インデックス番号を直接的に指示し、端末装置は、ＤＲＸ指示情報により指示される部分帯域設定インデックス番号に基づいて、使用されるべき部分帯域設定を知ることができる。例えば、ＤＲＸ指示情報は、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）の下り制御情報（Ｄｏｗｎｌｉｎｋ  Ｃｏｎｔｒｏｌ  Ｉｎｆｏｒｍａｔｉｏｎ）中で搬送される。ＤＲＸ指示情報は、Ｋ個の情報ビットを含み、２Ｋ種の動作帯域幅設定インデックス番号を指示することができ、２Ｋ種の部分帯域設定に対応し、Ｋの値は、部分帯域設定の数によるものである。
【００４９】
又はネットワーク装置は、ＤＲＸ指示情報を搬送するための時間周波数リソースとＤＲＸ指示情報により指示される部分帯域設定インデックス番号との対応関係、ＤＲＸ指示情報を生成するための直交シーケンスとＤＲＸ指示情報により指示される部分帯域設定インデックス番号との対応関係、ＤＲＸ指示情報を生成するための直交シーケンスに用いられるサイクリックシフトとＤＲＸ指示情報により指示される部分帯域設定インデックス番号との対応関係、ＤＲＸ指示情報を形成するための複数のＤＲＸサブ指示情報の指示状態とＤＲＸ指示情報により指示される部分帯域設定インデックス番号との対応関係のうちの少なくとも１つを含む第１設定情報を端末装置に送信することができる。
【００５０】
例として、Ｍ種の部分帯域設定及びＭ個の部分帯域設定インデックス番号が存在し、Ｍ種の、ＤＲＸ指示信号を搬送するための時間周波数リソース位置が存在すると仮定すれば、第１設定情報には、該Ｍ種の、ＤＲＸ指示信号を搬送するための時間周波数リソース位置と、ＤＲＸ指示信号により指示されるＭ個の部分帯域設定インデックス番号との一対一の対応関係が含まれる。及び／又は、第１設定情報には、ＤＲＸ指示情報を生成するためのＭ種の直交シーケンスと、ＤＲＸ指示信号により指示されるＭ個の部分帯域設定インデックス番号との一対一の対応関係が含まれる。及び／又は、第１設定情報には、前記ＤＲＸ指示情報を生成するための直交シーケンスに用いられるＭ種のサイクリックシフトと、ＤＲＸ指示信号により指示されるＭ個の部分帯域設定インデックス番号との一対一の対応関係が含まれる。及び／又は、ＤＲＸ指示情報が複数の時間周波数リソース位置にある複数のＤＲＸサブ指示情報からなると、第１設定情報には、複数のＤＲＸサブ指示情報の指示状態の異なる組み合わせと、ＤＲＸ指示情報により指示される部分帯域設定インデックス番号との一対一の対応関係が含まれる。例えば、各時間周波数リソース位置のＤＲＸ指示情報の指示状態が２種あると（例えば、１つの時間周波数リソースでＤＲＸサブ指示情報を送信することは、指示状態「１」を示し、該時間周波数リソースでＤＲＸサブ指示情報を送信しないことは、指示状態「０」を示す）、Ｎ個の時間周波数リソース位置のＤＲＸサブ指示情報の指示状態は、２Ｎ個の異なる状態を構成し、最大２Ｎ種の帯域幅設定インデックス番号を指示するために用いられ、即ち最大２Ｎ種の帯域幅設定を指示するために用いられる。Ｎの値が３であることを例として、それぞれ「０００」、「００１」、「０１０」、「０１１」、「１００」、「１０１」、「１１０」及び「１１１」という計８種の指示状態を構成し、８種の帯域幅設定を指示する。
【００５１】
それに対応して、端末装置はＤＲＸ指示情報を受信した後、受信したＤＲＸ指示情報の時間周波数リソース及び第１設定情報に基づいて、ＤＲＸ指示情報により指示される部分帯域設定インデックス番号を決定する。又は、端末装置は、受信したＤＲＸ指示情報に用いられる直交シーケンス及び第１設定情報に基づいて、ＤＲＸ指示情報により指示される部分帯域設定インデックス番号を決定する。又は、端末装置は、受信したＤＲＸ指示情報に用いられる直交シーケンスに用いられるサイクリックシフト及び第１設定情報に基づいて、ＤＲＸ指示情報により指示される部分帯域設定インデックス番号を決定する。又は、端末装置は、受信したＤＲＸ指示情報に含まれる複数のＤＲＸサブ指示情報の指示状態及び第１設定情報に基づいて、ＤＲＸ指示情報により指示される部分帯域設定インデックス番号を決定する。ＤＲＸ指示情報により指示される部分帯域設定インデックス番号を決定してから、使用されるべき部分帯域設定を知る。
【００５２】
任意選択的に、例として、各部分帯域設定により指示される部分帯域の数及び／又は部分帯域の中心周波数点は異なる。この場合、端末装置は、使用されるべき部分帯域設定を知ると、使用可能な部分帯域の数及び／又は部分帯域の中心周波数点を知ることができる。端末装置は、各部分帯域の帯域幅及び部分帯域の数に基づいて、ＤＲＸ周期内で使用される動作帯域幅を決定することができ、部分帯域の中心周波数点に基づいてＤＲＸ周期内で使用される動作帯域幅の周波数点を決定することができる。
【００５３】
任意選択的に、例として、各部分帯域設定は、部分帯域の帯域幅の大きさ及び／又は部分帯域の中心周波数点を指示するために用いられる。この場合、端末装置は、使用されるべき部分帯域設定を知ると、使用可能な動作帯域幅及び／又は動作帯域幅の中心周波数点を知ることができる。また、端末装置は、各部分帯域の帯域幅及び部分帯域設定により指示される部分帯域の帯域幅の大きさに基づいて、どれ又はどれらの部分帯域上での動作が必要となるかを決定することができる。
【００５４】
任意選択的に、又、例として、各部分帯域設定は、端末装置の使用可能な部分帯域を指示するために用いられる。この場合、端末装置は、使用されるべき部分帯域を知ると、ＤＲＸ周期内で使用される動作帯域幅及び動作帯域幅の周波数点を決定することができる。例えば、表１に示すように、４個のＢａｎｄｗｉｄｔｈ  Ｐａｒｔがあり、それぞれＢａｎｄｗｉｄｔｈ  Ｐａｒｔ  ０、Ｂａｎｄｗｉｄｔｈ  Ｐａｒｔ  １、Ｂａｎｄｗｉｄｔｈ  Ｐａｒｔ  ２及びＢａｎｄｗｉｄｔｈ  Ｐａｒｔ  3である。ＤＲＸ指示情報により指示される部分帯域設定インデックス番号が０である場合、端末装置は、Ｂａｎｄｗｉｄｔｈ  Ｐａｒｔ  ０を使用することを決定する。ＤＲＸ指示情報により指示される部分帯域設定インデックス番号が３である場合、端末装置は、Ｂａｎｄｗｉｄｔｈ  Ｐａｒｔ  ０又はＢａｎｄｗｉｄｔｈ  Ｐａｒｔ  １を使用することを決定する。
【００５５】
【表１】
2020529750.tif 000003
【００５６】
任意選択的に、上記４個のＢａｎｄｗｉｄｔｈ  Ｐａｒｔは、ネットワーク装置が図２に示した方法でシステムの帯域を分割することで得られるものであってもよい。図２に示した４個のＢａｎｄｗｉｄｔｈ  Ｐａｒｔは異なる中心周波数点を有し、更に異なる帯域幅を有してもよい。又は、上記４個のＢａｎｄｗｉｄｔｈ  Ｐａｒｔは、ネットワーク装置が図３に示した方法でシステムの帯域を分割することで得られるものであってもよい。図３に示したＢａｎｄｗｉｄｔｈ  Ｐａｒｔ０及びＢａｎｄｗｉｄｔｈ  Ｐａｒｔ１は、システムの帯域の高周波数側に位置し、且つ同じ中心周波数点を有するが、帯域幅の大きさが異なる。Ｂａｎｄｗｉｄｔｈ  Ｐａｒｔ２及びＢａｎｄｗｉｄｔｈ  Ｐａｒｔ３は、システムの帯域の低周波数側に位置し、且つ同じ中心周波数点を有するが、帯域幅の大きさが異なる。
【００５７】
具体的には、幾つかの実施例において、図３に示した方法で部分帯域を分割する場合、部分帯域設定は、部分帯域の帯域幅の大きさ及び／又は部分帯域の中心周波数点を指示するために用いられる。端末装置は、部分帯域設定に基づいて、どの部分帯域上での動作が必要となるかを決定する。例えば、図３に示したＢａｎｄｗｉｄｔｈ  Ｐａｒｔ０の帯域幅が１０ＭＨｚであり、Ｂａｎｄｗｉｄｔｈ  Ｐａｒｔ１の帯域幅が２０ＭＨｚであり、Ｂａｎｄｗｉｄｔｈ  Ｐａｒｔ２の帯域幅が１５ＭＨｚであり、Ｂａｎｄｗｉｄｔｈ  Ｐａｒｔ３の帯域幅が３０ＭＨｚであるとすれば、部分帯域設定により指示される部分帯域の帯域幅の大きさが２０ＭＨｚであると、端末装置は、動作帯域幅が２０ＭＨｚであって、動作帯域幅の中心周波数点がＢａｎｄｗｉｄｔｈ  Ｐａｒｔ１の中心周波数点であることを決定することができる。
【００５８】
ネットワーク装置と端末装置とは、Ｂａｎｄｗｉｄｔｈ  Ｐａｒｔの分割方法を予め取り決めることができ、ネットワーク装置は設定情報によって端末装置にＢａｎｄｗｉｄｔｈ  Ｐａｒｔの分割方法を通知することができ、設定情報は具体的には、各部分帯域の帯域幅及び／又は中心周波数点の設定情報を指示することを理解されたい。
【００５９】
本発明の実施例において、任意選択的に、システムの帯域が複数のＢａｎｄｗｉｄｔｈ  Ｐａｒｔに分割されると、ネットワーク装置は、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む第２設定情報を端末装置に送信することができる。
【００６０】
それに対応して、端末装置は、ＤＲＸ指示情報を受信した後、受信したＤＲＸ指示情報の時間周波数リソース及び第２設定情報に基づいて、使用可能な部分帯域を直接的に決定する。又は、端末装置は、受信したＤＲＸ指示情報に用いられる直交シーケンス及び第２設定情報に基づいて、使用可能な部分帯域を直接的に決定する。又は、端末装置は、受信したＤＲＸ指示情報に用いられる直交シーケンスに用いられるサイクリックシフト及び第２設定情報に基づいて、使用可能な部分帯域を直接的に決定する。又は、端末装置は、受信したＤＲＸ指示情報に含まれる複数のＤＲＸサブ指示情報の指示状態及び第２設定情報に基づいて、使用可能な部分帯域を直接的に決定する。端末装置は、使用可能な部分帯域を決定した後、使用可能な動作帯域幅及び／又は動作帯域幅の周波数点を知ることができる。
【００６１】
本発明の実施例において、各ＤＲＸ周期又はＬ個のＤＲＸ周期ごとについて、Ｌは１以上の正整数である。ネットワーク装置は、端末装置の瞬間的なトラフィック状況に基づいてＤＲＸ周期内での端末装置に用いられる部分帯域設定を決定する。例えば、端末装置に大きな下りトラフィックパケットが到着すると、端末装置によるトラフィックの高速伝送を保証するために、ネットワーク装置はＤＲＸ指示信号によって、数の多くの部分帯域又は大きな帯域幅を有する１つの部分帯域を使用してＤＲＸ周期内のアクティブ化期間（Ｏｎ  Ｄｕｒａｔｉｏｎ）内で伝送を行うことを端末装置に指示することができる。一方で、端末装置に小さな下りトラフィックパケットのみが到着すると、ネットワーク装置はＤＲＸ指示信号によって、数の少ない部分帯域又は小さな帯域幅を有する１つの部分帯域を使用してＤＲＸ Ｏｎ  Ｄｕｒａｔｉｏｎ内で伝送を行うことを端末装置に指示することができる。
【００６２】
任意選択的に、Ｓ１２０において、ネットワーク装置は、ＤＲＸ周期の開始時点で、前記ＤＲＸ指示情報を前記端末装置に送信する。又は前記ＤＲＸ周期に含まれるアクティブ化期間内の最初の方のサブフレーム（例えば最初のサブフレーム）で前記ＤＲＸ指示情報を端末装置に送信する。
【００６３】
以上、図１から図３を参照しつつネットワーク装置側の点から本発明の実施例による帯域幅を設定する方法を詳細に説明したが、以下、図４を参照しつつ端末装置側の点から本発明の実施例による帯域幅を設定する方法を詳細に説明する。端末装置側の点から説明したネットワーク装置と端末装置とのインタラクションは、ネットワーク装置側の点から説明したものと同じであり、説明の繰り返しを避けるために、関連説明を適当に省略する。
【００６４】
図４は、本発明の別の実施例による帯域幅を設定する方法を示す。図４に示すように、方法２００は、
間欠受信（ＤＲＸ）指示情報を受信するステップＳ２１０であって、前記ＤＲＸ指示情報が、端末装置がＤＲＸ周期内で使用される動作帯域幅及び／又は前記動作帯域幅の周波数点を決定するために用いられるステップＳ２１０と、
前記ＤＲＸ指示情報に基づいて、前記ＤＲＸ周期内で使用される動作帯域幅及び／又は前記動作帯域幅の周波数点を決定するステップＳ２２０とを含む。
【００６５】
本発明の実施例による帯域幅を設定する方法において、端末装置は、ネットワーク装置からのＤＲＸ指示情報を受信し、前記ＤＲＸ指示情報が、端末装置がＤＲＸ周期内で使用される動作帯域幅及び／又は前記動作帯域幅の周波数点を決定するために用いられ、受信したＤＲＸ指示情報に基づいて、ＤＲＸ周期内で使用される動作帯域幅及び／又は前記動作帯域幅の周波数点を決定し、全てのＤＲＸ周期内のＯｎ  Ｄｕｒａｔｉｏｎ内で無線周波数帯域幅全体を利用する必要があることに起因する無駄な電力消費を避ける。
【００６６】
本発明の実施例において、任意選択的に、前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応する。
【００６７】
ここで、Ｓ２２０は、前記部分帯域設定インデックス番号に対応する部分帯域設定に基づいて、前記ＤＲＸ周期内で使用される動作帯域幅及び／又は前記動作帯域幅の周波数点を決定することを含む。
【００６８】
本発明の実施例において、任意選択的に、前記方法２００は、第１設定情報を受信することを更に含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含む。
【００６９】
ここで、Ｓ２２０の前に、前記方法２００は、前記第１設定情報に基づいて、前記ＤＲＸ指示情報により指示される部分帯域インデックス番号を決定することを更に含む。
【００７０】
本発明の実施例において、任意選択的に、各部分帯域設定は部分帯域の数及び／又は部分帯域の中心周波数点を指示するために用いられ、各部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なる。
【００７１】
本発明の実施例において、任意選択的に、前記方法２００は、第２設定情報を受信することを更に含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む。
【００７２】
ここで、Ｓ２２０は、前記ＤＲＸ指示情報及び前記第２設定情報に基づいて、前記ＤＲＸ周期内で使用される動作帯域幅及び／又は前記動作帯域幅の周波数点を決定することを含む。
【００７３】
本発明の実施例において、任意選択的に、前記方法２００は、各部分帯域設定インデックス番号に対応する部分帯域設定を指示するための第３設定情報を受信することを更に含む。
【００７４】
本発明の実施例において、任意選択的に、前記第３設定情報は更に、各部分帯域の帯域幅及び／又は中心周波数点を指示するために用いられる。
【００７５】
本発明の実施例において、任意選択的に、Ｓ２１０は、前記ＤＲＸ周期の開始時点で、前記ＤＲＸ指示情報を受信すること、又は、前記ＤＲＸ周期に含まれるアクティブ化期間内の最初のサブフレームで前記ＤＲＸ指示情報を受信することを含む。
【００７６】
以上、図１から図４を参照しつつ本発明の実施例による帯域幅を設定する方法を詳細に説明したが、以下、図５を参照しつつ本発明の実施例によるネットワーク装置を詳細に説明する。図５に示すように、ネットワーク装置１０は、
間欠受信（ＤＲＸ）指示情報を決定するように構成され、前記ＤＲＸ指示情報が、端末装置がＤＲＸ周期内で使用される動作帯域幅及び／又は前記動作帯域幅の周波数点を決定するために用いられる処理モジュール１１と、
前記端末装置に前記ＤＲＸ指示情報を送信するように構成される送受信モジュール１２とを備える。
【００７７】
従って、本発明の実施例によるネットワーク装置は、ＤＲＸ指示情報を端末装置に送信するように構成され、前記ＤＲＸ指示情報が、端末装置がＤＲＸ周期内で使用される動作帯域幅及び／又は動作帯域幅の周波数点を決定する。従って、端末装置は、受信したＤＲＸ指示情報に基づいて、ＤＲＸ周期内で使用される動作帯域幅及び／又は動作帯域幅の周波数点を決定し、全てのＤＲＸ周期内のＯｎ  Ｄｕｒａｔｉｏｎ内で無線周波数帯域幅全体を利用する必要があることに起因する無駄な電力消費を避ける。
【００７８】
本発明の実施例において、任意選択的に、前記処理モジュール１１は更に、前記ＤＲＸ周期内での前記端末装置の伝送する必要があるデータ量に基づいて、前記動作帯域幅を決定するように構成される。
【００７９】
本発明の実施例において、任意選択的に、前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応する。
【００８０】
本発明の実施例において、任意選択的に、前記送受信モジュール１２は更に、第１設定情報を前記端末装置に送信するように構成され、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含む。
【００８１】
本発明の実施例において、任意選択的に、各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なる。
【００８２】
本発明の実施例において、任意選択的に、前記送受信モジュール１２は更に、第２設定情報を前記端末装置に送信するように構成され、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む。
【００８３】
本発明の実施例において、任意選択的に、前記送受信モジュール１２は更に、各部分帯域設定インデックス番号に対応する部分帯域設定を指示するための第３設定情報を前記端末装置に送信するように構成される。
【００８４】
本発明の実施例において、任意選択的に、前記第３設定情報は更に、各部分帯域の帯域幅及び／又は中心周波数点を指示するために用いられる。
【００８５】
本発明の実施例において、任意選択的に、前記送受信モジュール１２は具体的には、前記ＤＲＸ周期の開始時点で、前記端末装置に前記ＤＲＸ指示情報を送信し、又は、前記ＤＲＸ周期に含まれるアクティブ化期間内の最初のサブフレームで前記端末装置に前記ＤＲＸ指示情報を送信するように構成される。
【００８６】
本発明の実施例によるネットワーク装置について、本発明の実施例の方法１００に対応するフローを参照されたい。また、該ネットワーク装置における各ユニット／モジュールと上記他の操作及び／又は機能は、それぞれ方法１００における対応するフローを実現させるためのものであり、簡素化を図るために、ここで詳しく説明しないようにする。
【００８７】
図６は本発明の実施例による端末装置を示す。図６に示すように、端末装置２０は、
間欠受信（ＤＲＸ）指示情報を受信するように構成され、前記ＤＲＸ指示情報が、端末装置がＤＲＸ周期内で使用される動作帯域幅及び／又は前記動作帯域幅の周波数点を決定するために用いられる送受信モジュール２１と、
前記ＤＲＸ指示情報に基づいて、前記ＤＲＸ周期内で使用される動作帯域幅及び／又は前記動作帯域幅の周波数点を決定するように構成される処理モジュール２２とを備える。
【００８８】
従って、本発明の実施例による端末装置は、ネットワーク装置からのＤＲＸ指示情報を受信し、前記ＤＲＸ指示情報が、端末装置がＤＲＸ周期内で使用される動作帯域幅及び／又は前記動作帯域幅の周波数点を決定するために用いられ、受信したＤＲＸ指示情報に基づいて、ＤＲＸ周期内で使用される動作帯域幅及び／又は前記動作帯域幅の周波数点を決定し、全てのＤＲＸ周期内のＯｎ  Ｄｕｒａｔｉｏｎ内で無線周波数帯域幅全体を利用する必要があることに起因する無駄な電力消費を避ける。
【００８９】
本発明の実施例において、任意選択的に、前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応する。
【００９０】
ここで、前記処理モジュール２２は具体的には、前記部分帯域設定インデックス番号に対応する部分帯域設定に基づいて、前記ＤＲＸ周期内で使用される動作帯域幅及び／又は前記動作帯域幅の周波数点を決定するように構成される。
【００９１】
本発明の実施例において、任意選択的に、前記送受信モジュール２１は更に、第１設定情報を受信するように構成され、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含む。
【００９２】
ここで、前記部分帯域設定インデックス番号に対応する部分帯域設定に基づいて、前記ＤＲＸ周期内で使用される動作帯域幅及び／又は前記動作帯域幅の周波数点を決定する前に、前記処理モジュール２２は更に、前記第１設定情報に基づいて、前記ＤＲＸ指示情報により指示される部分帯域インデックス番号を決定するように構成される。
【００９３】
本発明の実施例において、任意選択的に、各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なる。
【００９４】
本発明の実施例において、任意選択的に、前記送受信モジュール２１は更に、第２設定情報を受信するように構成され、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含む。
【００９５】
ここで、前記処理モジュール２２は具体的には、前記ＤＲＸ指示情報及び前記第２設定情報に基づいて、前記ＤＲＸ周期内で使用される動作帯域幅及び／又は前記動作帯域幅の周波数点を決定するように構成される。
【００９６】
本発明の実施例において、任意選択的に、前記送受信モジュール２１は更に、各部分帯域設定インデックス番号に対応する部分帯域設定を指示するための第３設定情報を受信するように構成される。
【００９７】
本発明の実施例において、任意選択的に、前記第３設定情報は更に、各部分帯域の帯域幅及び／又は中心周波数点を指示するために用いられる。
【００９８】
本発明の実施例において、任意選択的に、前記送受信モジュール２１は具体的には、前記ＤＲＸ周期の開始時点で、前記ＤＲＸ指示情報を受信すること、又は、前記ＤＲＸ周期に含まれるアクティブ化期間内の最初のサブフレームで前記ＤＲＸ指示情報を受信するように構成される。
【００９９】
本発明の実施例による端末装置について、本発明の実施例の方法２００に対応するフローを参照されたい。また、該ネットワーク装置における各ユニット／モジュールと上記他の操作及び／又は機能は、それぞれ方法２００における対応するフローを実現させるためのものであり、簡素化を図るために、ここで詳しく説明しないようにする。
【０１００】
図７は本発明の別の実施例によるネットワーク装置を示す。図７に示すように、ネットワーク装置１００は、プロセッサ１１０と、送受信機１２０とを備える。プロセッサ１１０は送受信機１２０に接続される。任意選択的に、該ネットワーク装置１００はメモリ１３０を更に備える。メモリ１３０はプロセッサ１１０に接続される。ここで、プロセッサ１１０、メモリ１３０及び送受信機１２０は内部接続経路を経由して相互通信することができる。ここで、前記プロセッサ１１０は、間欠受信（ＤＲＸ）指示情報を決定するように構成され、前記ＤＲＸ指示情報が、端末装置がＤＲＸ周期内で使用される動作帯域幅及び／又は前記動作帯域幅の周波数点を決定するために用いられる。前記送受信機１２０は、前記端末装置に前記ＤＲＸ指示情報を送信するように構成される。
【０１０１】
従って、本発明の実施例によるネットワーク装置は、ＤＲＸ指示情報を端末装置に送信し、前記ＤＲＸ指示情報が、端末装置がＤＲＸ周期内で使用される動作帯域幅及び／又は前記動作帯域幅の周波数点を決定するために用いられる。従って、端末装置は、受信したＤＲＸ指示情報に基づいて、ＤＲＸ周期内で使用される動作帯域幅及び／又は前記動作帯域幅の周波数点を決定し、全てのＤＲＸ周期内のアクティブ化期間（Ｏｎ  Ｄｕｒａｔｉｏｎ）内で無線周波数帯域幅全体を利用する必要があることに起因する無駄な電力消費を避ける。
【０１０２】
本発明の実施例によるネットワーク装置１００について、本発明の実施例のネットワーク装置１０を参照されたい。また、該ネットワーク装置における各ユニット／モジュールと上記他の操作及び／又は機能は、それぞれ方法１００における対応するフローを実現させるためのものであり、簡素化を図るために、ここで詳しく説明しないようにする。
【０１０３】
図８は本発明の別の実施例による端末装置を示す。図８に示すように、端末装置２００は、プロセッサ２１０と、送受信機２２０とを備える。プロセッサ２１０は送受信機２２０に接続される。任意選択的に、該端末装置２００はメモリ２３０を更に備える。メモリ２３０はプロセッサ２１０に接続される。ここで、プロセッサ２１０、メモリ２３０及び送受信機２２０は内部接続経路を経由して相互通信することができる。ここで、前記送受信機２２０は、前記間欠受信（ＤＲＸ）指示情報を受信するように構成され、前記ＤＲＸ指示情報が、端末装置がＤＲＸ周期内で使用される動作帯域幅及び／又は前記動作帯域幅の周波数点を決定するために用いられる。前記プロセッサ２１０は、前記ＤＲＸ指示情報に基づいて、前記ＤＲＸ周期内で使用される動作帯域幅及び／又は前記動作帯域幅の周波数点を決定するように構成される。
【０１０４】
従って、本発明の実施例による端末装置は、ネットワーク装置からのＤＲＸ指示情報を受信し、前記ＤＲＸ指示情報が、端末装置がＤＲＸ周期内で使用される動作帯域幅及び／又は前記動作帯域幅の周波数点を決定するために用いられ、受信したＤＲＸ指示情報に基づいて、ＤＲＸ周期内で使用される動作帯域幅及び／又は前記動作帯域幅の周波数点を決定し、全てのＤＲＸ周期内のＯｎ  Ｄｕｒａｔｉｏｎ内で無線周波数帯域幅全体を利用する必要があることに起因する無駄な電力消費を避ける。
【０１０５】
本発明の実施例による端末装置２００について、本発明の実施例の端末装置２０を参照されたい。また、該端末装置２００における各ユニット／モジュールと上記他の操作及び／又は機能は、それぞれ方法２００における対応するフローを実現させるためのものであり、簡素化を図るために、ここで詳しく説明しないようにする。
【０１０６】
理解すべき点として、本発明の実施例におけるプロセッサは、信号処理機能を有する集積回路チップである可能性がある。実現プロセスにおいて、上記方法の実施例の各ステップは、プロセッサにおける集積論理回路又はソフトウェアの形の命令により完成することができる。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネント等であってもよい。本発明の実施例に開示されている各方法、ステップ及び論理的ブロック図を実現又は実行することができる。汎用プロセッサはマイクロプロセッサであってもよいし、該プロセッサは如何なる従来のプロセッサ等であってもよい。本発明の実施例に開示されている方法のステップに合わせて、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のステップを完了する。
【０１０７】
理解すべき点として、本発明の実施例におけるメモリは、不揮発性メモリ又は揮発性メモリであってもよいし、不揮発性メモリと揮発性メモリの両方であってもよい。ここで、不揮発性メモリは、読み取り専用メモリ（Ｒｅａｄ−Ｏｎｌｙ  Ｍｅｍｏｒｙ：ＲＯＭ）、プログラマブル読み取り専用メモリ（Ｐｒｏｇｒａｍｍａｂｌｅ  ＲＯＭ：ＰＲＯＭ）、消去可能なプログラマブル読み取り専用メモリ（Ｅｒａｓａｂｌｅ  ＰＲＯＭ：ＥＰＲＯＭ）、電気的消去可能なプログラマブル読み取り専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｅ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１０８】
本発明の実施例は、命令を含むコンピュータプログラム製品を更に提供する。コンピュータは、前記コンピュータプログラム製品の前記命令を実行する時、上記方法の実施例におけるデータを伝送するための方法を実行する。具体的には、該コンピュータプログラム製品は上記装置上で実行することができる。
【０１０９】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが十分理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１１０】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１１１】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１１２】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１１３】
また、本発明の各実施例における各機能ユニットは一つの処理ユニットに集積されてもよいし、各ユニットが物理的に別個のものとして存在してもよいし、２つ以上のユニットが一つのユニットに集積されてもよい。
【０１１４】
該機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ-ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、ディスク、又は光ディスクなど、プログラムコードを記憶可能な各種の媒体を含む。
【０１１５】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2020529750.tif 000004
【図２】
2020529750.tif 000005
【図３】
2020529750.tif 000006
【図４】
2020529750.tif 000007
【図５】
2020529750.tif 000008
【図６】
2020529750.tif 000009
【図７】
2020529750.tif 000010
【図８】
2020529750.tif 000011
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
帯域幅を設定する方法であって、
間欠受信（ＤＲＸ）指示情報を受信することであって、前記ＤＲＸ指示情報が、端末装置がＤＲＸ周期内で使用される動作帯域幅及び／又は前記動作帯域幅の周波数点を決定するために用いられることと、
前記ＤＲＸ指示情報に基づいて、前記ＤＲＸ周期内で使用される動作帯域幅及び／又は前記動作帯域幅の周波数点を決定することとを含むことを特徴とする、前記方法。
【請求項２】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応し、
ここで、前記ＤＲＸ指示情報に基づいて、前記ＤＲＸ周期内で使用される動作帯域幅及び／又は前記動作帯域幅の周波数点を決定することは、
前記部分帯域設定インデックス番号に対応する部分帯域設定に基づいて、前記ＤＲＸ周期内で使用される動作帯域幅及び／又は前記動作帯域幅の周波数点を決定することを含むことを特徴とする
請求項１に記載の方法。
【請求項３】
前記方法は、第１設定情報を受信することを更に含み、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含み、
ここで、前記部分帯域設定インデックス番号に対応する部分帯域設定に基づいて、前記ＤＲＸ周期内で使用される動作帯域幅及び／又は前記動作帯域幅の周波数点を決定する前に、前記方法は、
前記第１設定情報に基づいて、前記ＤＲＸ指示情報により指示される部分帯域インデックス番号を決定することを更に含むことを特徴とする
請求項２に記載の方法。
【請求項４】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項２又は３に記載の方法。
【請求項５】
前記方法は、
第２設定情報を受信することを更に含み、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含み、
ここで、前記ＤＲＸ指示情報に基づいて、前記ＤＲＸ周期内で使用される動作帯域幅及び／又は前記動作帯域幅の周波数点を決定することは、
前記ＤＲＸ指示情報及び前記第２設定情報に基づいて、前記ＤＲＸ周期内で使用される動作帯域幅及び／又は前記動作帯域幅の周波数点を決定することを含むことを特徴とする
請求項１に記載の方法。
【請求項６】
前記方法は、
各部分帯域設定インデックス番号に対応する部分帯域設定を指示するための第３設定情報を受信することを更に含むことを特徴とする
請求項２から４のうちいずれか一項に記載の方法。
【請求項７】
前記第３設定情報は更に、各部分帯域の帯域幅及び／又は中心周波数点を指示するために用いられることを特徴とする
請求項６に記載の方法。
【請求項８】
ＤＲＸ指示情報は、物理下り制御チャネルにより搬送されることを特徴とする
請求項１から７のうちいずれか一項に記載の方法。
【請求項９】
端末装置であって、
間欠受信（ＤＲＸ）指示情報を受信するように構成され、前記ＤＲＸ指示情報が、端末装置がＤＲＸ周期内で使用される動作帯域幅及び／又は前記動作帯域幅の周波数点を決定するために用いられる送受信モジュールと、
前記ＤＲＸ指示情報に基づいて、前記ＤＲＸ周期内で使用される動作帯域幅及び／又は前記動作帯域幅の周波数点を決定するように構成される処理モジュールとを備えることを特徴とする、前記端末装置。
【請求項１０】
前記ＤＲＸ指示情報は、部分帯域設定インデックス番号を指示するためのものであり、前記部分帯域設定インデックス番号は、複数の部分帯域設定インデックス番号のうちの１つであり、異なる部分帯域設定インデックス番号は、複数の部分帯域設定のうちの異なる部分帯域設定に対応し、
ここで、前記処理モジュールは具体的には、
前記部分帯域設定インデックス番号に対応する部分帯域設定に基づいて、前記ＤＲＸ周期内で使用される動作帯域幅及び／又は前記動作帯域幅の周波数点を決定するように構成されることを特徴とする
請求項９に記載の端末装置。
【請求項１１】
前記送受信モジュールは更に、
第１設定情報を受信するように構成され、前記第１設定情報が、前記ＤＲＸ指示情報を搬送するための時間周波数リソースと前記ＤＲＸ指示情報により指示される部分帯域設定インデックス番号との対応関係、前記ＤＲＸ指示情報を生成するための直交シーケンスと前記ＤＲＸ指示情報により指示される部分帯域設定インデックス番号との対応関係、前記ＤＲＸ指示情報を生成するための直交シーケンスに用いられるサイクリックシフトと前記ＤＲＸ指示情報により指示される部分帯域設定インデックス番号との対応関係、前記ＤＲＸ指示情報を形成するための複数のＤＲＸサブ指示情報の指示状態と前記ＤＲＸ指示情報により指示される部分帯域設定インデックス番号との対応関係のうちの少なくとも１つを含み、
ここで、前記部分帯域設定インデックス番号に対応する部分帯域設定に基づいて、前記ＤＲＸ周期内で使用される動作帯域幅及び／又は前記動作帯域幅の周波数点を決定する前に、前記処理モジュールは更に、
前記第１設定情報に基づいて、前記ＤＲＸ指示情報により指示される部分帯域インデックス番号を決定するように構成されることを特徴とする
請求項１０に記載の端末装置。
【請求項１２】
各部分帯域設定は部分帯域の数及び／又は部分帯域の中心周波数点を指示するために用いられ、異なる部分帯域設定により指示される部分帯域の数及び／又は部分帯域の中心周波数点は異なるか、又は、各部分帯域設定は部分帯域の帯域幅の大きさ及び／又は部分帯域の中心周波数点を指示するために用いられ、各部分帯域設定により指示される部分帯域の帯域幅の大きさ及び／又は部分帯域の中心周波数点は異なることを特徴とする
請求項１０又は１１に記載の端末装置。
【請求項１３】
前記送受信モジュールは更に、
第２設定情報を受信するように構成され、前記第２設定情報が、前記ＤＲＸ指示情報を搬送するための時間周波数リソースと部分帯域との対応関係、前記ＤＲＸ指示情報を生成するための直交シーケンスと部分帯域との対応関係、前記ＤＲＸ指示情報を生成するための直交シーケンスに用いられるサイクリックシフトと部分帯域との対応関係、前記ＤＲＸ指示情報を形成するための複数のＤＲＸサブ指示情報の指示状態と部分帯域との対応関係のうちの少なくとも１つを含み、
ここで、前記処理モジュールは具体的には、
前記ＤＲＸ指示情報及び前記第２設定情報に基づいて、前記ＤＲＸ周期内で使用される動作帯域幅及び／又は前記動作帯域幅の周波数点を決定するように構成されることを特徴とする
請求項９に記載の端末装置。
【請求項１４】
前記送受信モジュールは更に、
各部分帯域設定インデックス番号に対応する部分帯域設定を指示するための第３設定情報を受信するように構成されることを特徴とする
請求項１０から１２のうちいずれか一項に記載の端末装置。
【請求項１５】
前記第３設定情報は更に、各部分帯域の帯域幅及び／又は中心周波数点を指示するために用いられることを特徴とする
請求項１４に記載の端末装置。
【請求項１６】
ＤＲＸ指示情報は、物理下り制御チャネルにより搬送されることを特徴とする、
請求項９から１５に記載の端末装置。
【国際調査報告】
2020529750.tif 000012
2020529750.tif 000013
2020529750.tif 000014
2020529750.tif 000015